(57)【要約】【課題】対間スキューを抑制し、かつ多方向に容易に曲げることが可能な差動信号伝送用ケーブルを提供する。【解決手段】少なくとも、２本の導体２と、２本の導体２の周囲を一括して被覆する絶縁体３と、を有し、導体２の配列方向、および導体２の配列方向と垂直方向の中心を回転軸として、その断面形状が、長手方向に沿って徐々に回転するように形成されているものである。【選択図】図１
2014154490.tif 000002
【特許請求の範囲】
【請求項１】
少なくとも、２本の導体と、
該２本の導体の周囲を一括して被覆する絶縁体と、を有し、
前記導体の配列方向、および前記導体の配列方向と垂直方向の中心を回転軸として、その断面形状が、長手方向に沿って徐々に回転するように形成されている
ことを特徴とする差動信号伝送用ケーブル。
【請求項２】
前記絶縁体は、その断面形状が、前記導体の配列方向の中心に対して線対称に形成されると共に、前記導体の配列方向と垂直方向の中心に対して線対称に形成され、前記導体の配列方向に厚く、前記導体の配列方向と垂直方向に薄くなるように形成されている
請求項１記載の差動信号伝送用ケーブル。
【請求項３】
前記断面形状の回転周期が一定である
請求項１または２記載の差動信号伝送用ケーブル。
【請求項４】
前記断面形状の回転方向が一方向である
請求項１〜３いずれかに記載の差動信号伝送用ケーブル。
【請求項５】
前記断面形状の回転方向が一定周期ごとに反転する
請求項１〜３いずれかに記載の差動信号伝送用ケーブル。
【発明の詳細な説明】
【技術分野】
【０００１】
本発明は、差動信号伝送用ケーブルに関するものである。
【背景技術】
【０００２】
従来の差動信号伝送用ケーブルとして、２本の絶縁電線を撚り合わせたツイストペアケーブルが知られている。
【０００３】
ツイストペアケーブルは、フレキシブルで曲げやすいというメリットはあるものの、２本の絶縁電線の絶縁体の誘電率差に起因して、２本の導体を伝送される信号に伝送時間差、すなわち対間スキュー（ＰＮ間スキュー）が生じ、信号が劣化してしまうという問題があった。
【０００４】
このような問題を解決した差動信号伝送用ケーブルとして、図３に示すような２芯一括被覆構造の差動信号伝送用ケーブル３１が知られている。
【０００５】
図３の差動信号伝送用ケーブル３１は、平行に配置された２本の導体３２を絶縁体３３で一括被覆し、その外周に外部導体３４を設けて構成される。差動信号伝送用ケーブル３１の断面形状は、長円形状（２本の平行な直線の端部同士を半円形状の円弧で接続した形状）、または曲率半径が異なる複数の曲線を組み合わせた形状となっており、導体３２の配列方向に厚く、導体３２の配列方向と垂直方向に薄くなっている。
【０００６】
なお、この出願の発明に関連する先行技術文献情報としては、特許文献１〜３がある。
【先行技術文献】
【特許文献】
【０００７】
【特許文献１】特開２０１１−８６４５８号公報
【特許文献２】特開２０１２−１６９２５１号公報
【特許文献３】特開２０１１−９６５７４号公報
【発明の概要】
【発明が解決しようとする課題】
【０００８】
しかしながら、上述の差動信号伝送用ケーブル３１では、導体３２の配列方向に対して垂直方向に曲げる場合には特に問題とならないが、導体３２の配列方向に曲げる場合に機械的に曲げにくく、配線の際の自由度が低いという問題がある。
【０００９】
また、差動信号伝送用ケーブル３１を導体３２の配列方向に曲げる場合、曲げの外周側と内周側で長さの差が生じるため、対間スキューが発生してしまうという問題がある。
【００１０】
本発明は上記事情に鑑み為されたものであり、対間スキューを抑制し、かつ多方向に容易に曲げることが可能な差動信号伝送用ケーブルを提供することを目的とする。
【課題を解決するための手段】
【００１１】
本発明は上記目的を達成するために創案されたものであり、少なくとも、２本の導体と、該２本の導体の周囲を一括して被覆する絶縁体と、を有し、前記導体の配列方向、および前記導体の配列方向と垂直方向の中心を回転軸として、その断面形状が、長手方向に沿って徐々に回転するように形成されている差動信号伝送用ケーブルである。
【００１２】
前記絶縁体は、その断面形状が、前記導体の配列方向の中心に対して線対称に形成されると共に、前記導体の配列方向と垂直方向の中心に対して線対称に形成され、前記導体の配列方向に厚く、前記導体の配列方向と垂直方向に薄くなるように形成されていてもよい。
【００１３】
前記断面形状の回転周期が一定であってもよい。
【００１４】
前記断面形状の回転方向が一方向であってもよい。
【００１５】
前記断面形状の回転方向が一定周期ごとに反転してもよい。
【発明の効果】
【００１６】
本発明によれば、対間スキューを抑制し、かつ多方向に容易に曲げることが可能な差動信号伝送用ケーブルを提供できる。
【図面の簡単な説明】
【００１７】
【図１】本発明の一実施の形態に係る差動信号伝送用ケーブルを示す図であり、（ａ）は斜視図、（ｂ）は平面図および各部の横断面図である。
【図２】図１の差動信号伝送用ケーブルを用いた多芯ケーブルの横断面図である。
【図３】従来の差動信号伝送用ケーブルを示す図であり、（ａ）は斜視図、（ｂ）は横断面図である。
【発明を実施するための形態】
【００１８】
以下、本発明の実施の形態を添付図面にしたがって説明する。
【００１９】
図１は、本実施の形態に係る差動信号伝送用ケーブルを示す図であり、（ａ）は斜視図、（ｂ）は平面図および各部の横断面図である。
【００２０】
図１（ａ），（ｂ）に示すように、差動信号伝送用ケーブル１は、２本の導体２と、２本の導体２の周囲を一括して被覆する絶縁体３と、絶縁体３の外周に設けられた外部導体４と、を有している。
【００２１】
導体２としては、銅などの電気良導体を用いるとよい、絶縁体３としては、発泡絶縁樹脂と非発泡絶縁樹脂のどちらを用いてもよく、絶縁体３に用いる絶縁樹脂としては、例えばＰＥ（ポリエチレン）が挙げられる。外部導体４は、例えば、一方の面に金属層を形成した樹脂テープ（金属テープ）を絶縁体の外周に巻回して形成される。
【００２２】
絶縁体３は、その断面形状が、長円形状（２本の平行な直線の端部同士を半円形状の円弧で接続した形状）に形成され、導体２の配列方向の中心に対して線対称に形成されると共に、導体２の配列方向と垂直方向の中心に対して線対称に形成され、さらに、導体２の配列方向の中心、および導体２の配列方向と垂直方向の中心に対して点対称に形成されている。絶縁体３は、導体２の配列方向に厚く、導体２の配列方向と垂直方向に薄くなるように形成されている。なお、絶縁体３は、その断面形状を曲率半径が異なる複数の曲線を組み合わせた形状とすることも可能である。曲率半径が異なる複数の曲線を組み合わた形状の一例には、楕円形の他、導体２の配列方向に向かい合う一組の楕円弧（円弧を含む）と導体２の配列方向の垂直方向に向かい合う一組の楕円弧（円弧を含む）とを組み合わせた形状がある。
【００２３】
本実施の形態に係る差動信号伝送用ケーブル１では、導体２の配列方向、および導体２の配列方向と垂直方向の中心を回転軸として、その断面形状が、長手方向に沿って徐々に回転するように形成されている。
【００２４】
つまり、差動信号伝送用ケーブル１は、ツイストペアケーブルにおける２本の絶縁電線の絶縁体を、一括被覆の絶縁体３に置き換え、その周囲に外部導体４を設けたものであると言える。導体２は、ツイストペアケーブルと同様に、撚り合わせた状態となっている。なお、外部導体４は省略可能である。
【００２５】
差動信号伝送用ケーブル１では、ある方向に曲げようとするとき、当該曲げ方向に曲がりやすい部分、すなわち曲げ方向の断面が薄くなっている部分で曲げが発生する。このとき、差動信号伝送用ケーブル１における断面形状の回転周期を十分に短く形成しておくと、曲げが生じる部分が多くなると共に曲げが生じる部分１箇所あたりの曲げ角度が小さくなり、滑らかな曲げを実現できることになる。
【００２６】
差動信号伝送用ケーブル１の断面形状の回転周期は、ケーブル特性を長手方向で均一とする観点から、一定であることが望ましい。ただし、差動信号伝送用ケーブル１の断面形状の回転周期は一定に限定されるものではなく、例えば、曲げが加えられる場所のみ回転周期を短くするように構成することも可能である。さらには、曲げが加えられる場所のみ断面形状を回転させた構成とし、曲げが加えられない場所は断面形状を回転させないストレートの構成とすることも可能である。
【００２７】
また、差動信号伝送用ケーブル１の断面形状の回転方向は、ケーブル特性を長手方向で均一とする観点から、一方向であることが望ましい。ただし、差動信号伝送用ケーブル１の断面形状の回転方向は一方向に限定されるものではなく、例えば、差動信号伝送用ケーブル１の断面形状の回転方向を一定周期ごとに反転するように構成すること（つまり、長手方向の所定の区間のみ断面形状が徐々に回転した構成とすること）も可能である。
【００２８】
差動信号伝送用ケーブル１を製造する際には、例えば、絶縁体３を押出被覆する際に巻取りリールを回転させることで、断面形状を回転させることができる。なお、絶縁体３を押出被覆する際に、押出装置そのものを回転させることでも、差動信号伝送用ケーブル１を製造可能である。さらには、断面形状を回転させない状態で一度巻取りリールに巻き取った後に、絶縁体を加熱しながら回転を加えて別の巻取りリールに巻き直すことでも、差動信号伝送用ケーブル１を製造可能である。
【００２９】
図２に示すように、複数本の差動信号伝送用ケーブル１を複数本まとめて多芯ケーブル２１として用いることも可能である。
【００３０】
図２の多芯ケーブル２１は、十字介在２２で区画された４つの空間それぞれに差動信号伝送用ケーブル１を収容し、これらを一括して覆うようにシールド導体２３とジャケット２４を順次設けたものである。
【００３１】
なお、多芯ケーブル２１の具体的な構造はこれに限定されるものではなく、例えば、各差動信号伝送用ケーブル１の外部導体４を省略し、シールド導体２３を共通の外部導体として用いるようにしてもよい。
【００３２】
以上説明したように、本実施の形態に係る差動信号伝送用ケーブル１では、少なくとも、２本の導体２と、２本の導体２の周囲を一括して被覆する絶縁体３と、を有し、導体２の配列方向、および導体２の配列方向と垂直方向の中心を回転軸として、その断面形状が、長手方向に沿って徐々に回転するように形成されている。
【００３３】
このように構成することで、ある方向に曲げようとするとき、当該曲げ方向に曲がりやすい部分、すなわち曲げ方向の断面が薄くなっている部分で自然に曲げが発生することとなり、フレキシブルでどの方向にも容易に曲げることが可能な差動信号伝送用ケーブル１を実現できる。
【００３４】
また、差動信号伝送用ケーブル１では、２芯一括構造を採用しているため、従来用いられていたツイストペアケーブルのような２本の絶縁電線の絶縁体の誘電率差による対間スキューを抑制することができる。さらに、断面形状が厚い方向（導体２の配列方向）に無理に曲げられることがなくなるので、曲げの内周と外周の物理長差に起因する対間スキューも抑制することが可能になり、どの方向に曲げてもスキュー特性の劣化が少ない差動信号伝送用ケーブル１を実現できる。
【００３５】
つまり、本発明によれば、対間スキューを抑制し、かつ多方向に容易に曲げることが可能な差動信号伝送用ケーブル１を実現できる。
【００３６】
本発明は上記実施の形態に限定されるものではなく、本発明の趣旨を逸脱しない範囲で種々の変更を加え得ることは勿論である。
【符号の説明】
【００３７】
１  差動信号伝送用ケーブル
２  導体
３  絶縁体
４  外部導体
【図１】
2014154490.tif 000003
【図２】
2014154490.tif 000004
【図３】
2014154490.tif 000005